(57)【要約】【課題】プロテクタ遮断器にマイクロスイッチ付トリガヒューズを取り付け、プロテクタヒューズの溶断の信号を外部に取り出す。【解決手段】箱体内に収納されたネットワーク配電系統を保護するプロテクタヒューズ１と、プロテクタヒューズ１に直列接続されたプロテクタ遮断器２と、プロテクタヒューズ１に並列接続されるとともに、プロテクタ遮断器２の正面側上部に一体化されて固定された外部に信号を取り出すことのできるマイクロスイッチ付トリガヒューズ３とを具備したことを特徴とする。【選択図】図２
2008104259.tif 000002
【特許請求の範囲】
【請求項１】
箱体内に収納されたネットワーク配電系統を保護するプロテクタヒューズと、
前記プロテクタヒューズに直列接続されたプロテクタ遮断器と、
前記プロテクタヒューズに並列接続されるとともに、前記プロテクタ遮断器に固定された外部に信号を取り出すことのできるマイクロスイッチ付トリガヒューズとを具備したことを特徴とするレギュラーネットワーク変圧器装置用プロテクタ盤。
【請求項２】
前記箱体の正面側に前記マイクロスイッチ付トリガヒューズを取り付けたことを特徴とする請求項１に記載のレギュラーネットワーク変圧器装置用プロテクタ盤。
【請求項３】
前記プロテクタヒューズの一方の主回路端子を、Ｌ字状の第１の接続導体とコ字状の第２の接続導体とで挟むように固定し、前記第１の接続導体と前記マイクロスイッチ付トリガヒューズの一方の端子とを接続するとともに、前記マイクロスイッチ付トリガヒューズの他方の端子と前記プロテクタヒューズの他方の主回路端子に接続された前記プロテクタ遮断器の遮断器側導体とを接続したことを特徴とする請求項１または請求項２に記載のレギュラーネットワーク変圧器装置用プロテクタ盤。
【請求項４】
前記マイクロスイッチ付トリガヒューズは、前記プロテクタヒューズよりも小さい溶断容量を有するトリガヒューズと、このトリガヒューズの溶断時に外部に信号を取り出すマイクロスイッチとから構成されることを特徴とする請求項１乃至請求項３のいずれか１項に記載のレギュラーネットワーク変圧器装置用プロテクタ盤。
【発明の詳細な説明】
【技術分野】
【０００１】
本発明は、ネットワーク配電系統を構成するレギュラーネットワーク変圧器装置用プロテクタ盤に関する。
【背景技術】
【０００２】
従来、この種のネットワーク配電におけるスポットネットワーク（ＳＮＷ）変圧器装置用プロテクタ盤には、プロテクタヒューズが設けられ、事故電流などを遮断し、ネットワークの保護が行われている（例えば、特許文献１参照。）。そして、プロテクタヒューズの溶断時には、標示棒が突出し、外部から溶断を確認できるようになっている。また、トリガヒューズをプロテクタヒューズに並列接続し、外部に信号を発することもできるようになっている。
【０００３】
一方、レギュラーネットワーク（ＲＮＷ）変圧器装置用プロテクタ盤にも、プロテクタヒューズが設けられ、ネットワークの保護が行われている（例えば、特許文献２参照。）。しかしながら、レギュラーネットワーク変圧器装置用プロテクタ盤を構成するプロテクタ遮断器とプロテクタヒューズとが一体構造となっているので、トリガヒューズをプロテクタヒューズに並列接続することが構造上できなかった。
【特許文献１】特開２００５−１３０６０９号公報  （第４ページ、図１）
【特許文献２】特開平７−２３１５６１号公報  （第３ページ、図４）
【発明の開示】
【発明が解決しようとする課題】
【０００４】
上記の従来のレギュラーネットワーク変圧器装置用プロテクタ盤においては、プロテクタヒューズが溶断したか否かなどの点検が困難であった。特に、地下孔など狭い場所に設置されるものでは、箱体に設けられた監視窓などからプロテクタヒューズの標示棒を目視することしかできず、その確認が困難であった。このため、プロテクタヒューズが溶断した場合、外部にその信号を取り出せることが望まれていた。
【０００５】
本発明は上記問題を解決するためになされたもので、プロテクタ遮断器にトリガヒューズを取り付け、プロテクタヒューズが溶断したときに外部に信号を取り出すことのできるレギュラーネットワーク変圧器装置用プロテクタ盤を提供することを目的とする。
【課題を解決するための手段】
【０００６】
上記目的を達成するために、本発明のレギュラーネットワーク変圧器装置用プロテクタ盤は、箱体内に収納されたネットワーク配電系統を保護するプロテクタヒューズと、前記プロテクタヒューズに直列接続されたプロテクタ遮断器と、前記プロテクタヒューズに並列接続されるとともに、前記プロテクタ遮断器に固定された外部に信号を取り出すことのできるマイクロスイッチ付トリガヒューズとを具備したことを特徴とする。
【発明の効果】
【０００７】
本発明によれば、プロテクタヒューズにマイクロスイッチ付トリガヒューズを並列接続しているので、プロテクタヒューズの溶断時にトリガヒューズも溶断し、外部に信号を取り出すことができる。
【発明を実施するための最良の形態】
【０００８】
以下、図面を参照して本発明の実施例を説明する。
【実施例】
【０００９】
本発明の実施例に係るレギュラーネットワーク変圧器装置用プロテクタ盤を図１乃至図７を参照して説明する。図１は、本発明の実施例に係るレギュラーネットワーク変圧器装置用プロテクタ盤の回路図、図２は、本発明の実施例に係るレギュラーネットワーク変圧器装置用プロテクタ盤の構成を示す正面図、図３は、図２の拡大正面図、図４は、図２の拡大側面図、図５は、図２の拡大上面図、図６は、本発明の実施例に係る第１の接続導体を示す斜視図、図７は、本発明の実施例に係る第２の接続導体を示す斜視図である。
【００１０】
図１に示すように、レギュラーネットワーク変圧器装置用プロテクタ盤は、プロテクタヒューズ１とプロテクタ遮断器２とが直列接続され、プロテクタヒューズ１にマイクロスイッチ付トリガヒューズ３が並列接続される回路構成となっている。
【００１１】
これらの機器は、図２に示すように、箱体１０内に収納されており、箱体１０の天井部に設けられたブッシング１１により受電されている。ブッシング１１の中心導体に接続されたブッシング側導体１２には、プロテクタヒューズ１の一方の主回路端子１３がボルト１４で固定されている。プロテクタヒューズ１の他方の主回路端子１５には、プロテクタ遮断器２の一方の主回路に接続された遮断器側導体１６がボルト１７で固定されている。そして、プロテクタヒューズ１の主回路端子１３、１５間には、プロテクタ遮断器２の上部に取り付けられたマイクロスイッチ付トリガヒューズ３が接続されている。
【００１２】
なお、プロテクタ遮断器２の他方の主回路には、図示しないネットワーク変圧器が接続される。また、図２は、箱体１０の開口部１０ａを覆う蓋を取り外した状態を示しており、通常では蓋が取り付けられ、箱体１０内が気密に保たれる。この開口部１０ａを有する面が箱体１０の正面側となり、点検などが行われる面となる。プロテクタ遮断器２の点検においては、プロテクタヒューズ１の主回路端子１５と遮断器側導体１６とを切り離すことで箱体１０内から引き出すことができる。
【００１３】
次に、マイクロスイッチ付トリガヒューズ３の取り付け方法を図３乃至図７を参照して説明する。
【００１４】
図３乃至図５に示すように、ブッシング側導体１２には、図６に示すようなＬ字状の第１の接続導体１８とプロテクタヒューズ１の一方の主回路端子１３とがボルト１４で固定されている。第１の接続導体１８には、図７に示すようなコ字状の第２の接続導体１９の両端がボルト２０で固定されている。即ち、主回路端子１３の周囲をコ字状の第２の接続導体１９で囲み、その開口辺を第１の接続導体１８で塞ぎ、第１の接続導体１８をブッシング側導体１２とともに主回路端子１３に固定している。
【００１５】
また、プロテクタ遮断器２の正面側の上面には、ヒューズ架台２１がボルト２２で固定され、プロテクタ遮断器２とヒューズ架台２１とが一体化されている。ヒューズ架台２１には、ヒューズホルダ２３が設けられ、トリガヒューズ２４が取り付けられている。このトリガヒューズ２４は、プロテクタヒューズ１が過電流時に溶断する溶断容量よりも小さい溶断容量を有している。ヒューズホルダ２３の一方の端子は、第３の接続導体２５で第１の接続導体１８端と接続されている。ヒューズホルダ２３の他方の端子は、第４の接続導体２６で遮断器側導体１６と接続されている。トリガヒューズ２４の軸線上には、マイクロスイッチ２７が設けられ、箱体１の外部に信号を取り出すためのリード線２８が接続されている。
【００１６】
このように、プロテクタ遮断器２にマイクロスイッチ付トリガヒューズ３を取り付けているので、これらが一体化された構造となっている。即ち、プロテクタ遮断器２にヒューズ架台２１を固定することにより、スペースを有効に活用することができ、外形形状に影響を与えることなくマイクロスイッチ付トリガヒューズ３を取り付けることができる。そして、プロテクタヒューズ１溶断時には、トリガヒューズ２４も溶断し、マイクロスイッチ２７が動作して外部に信号を取り出すことができる。
【００１７】
また、トリガヒューズ２４は、プロテクタ遮断器２の正面側に位置しているので、点検時などに容易にトリガヒューズ２４の交換などを行うことができる。更に、第１の接続導体１８と第３の接続導体２５とを接続しているので、第３の接続導体２５を接続するために主回路端子１３にボルト穴などの機械加工をする必要がなくなる。このため、主回路端子１３の断面積を減少させることがなく、通電容量や機械的強度などに影響を与えることがない。
【００１８】
上記実施例のレギュラーネットワーク変圧器装置用プロテクタ盤によれば、プロテクタヒューズ１にマイクロスイッチ付トリガヒューズ３を並列接続しているので、プロテクタヒューズ１の溶断時にトリガヒューズ２４も溶断し、マイクロスイッチ２７を動作させて外部に信号を取り出すことができる。
【図面の簡単な説明】
【００１９】
【図１】本発明の実施例に係るレギュラーネットワーク変圧器装置用プロテクタ盤の回路図。
【図２】本発明の実施例に係るレギュラーネットワーク変圧器装置用プロテクタ盤の構成を示す正面図。
【図３】図２の拡大正面図。
【図４】図２の拡大側面図。
【図５】図２の拡大上面図。
【図６】本発明の実施例に係る第１の接続導体を示す斜視図。
【図７】本発明の実施例に係る第２の接続導体を示す斜視図。
【符号の説明】
【００２０】
１  プロテクタヒューズ
２  プロテクタ遮断器
３  マイクロスイッチ付トリガヒューズ
１０  箱体
１０ａ  開口部
１１  ブッシング
１２  ブッシング側導体
１３、１５  主回路端子
１４、１７、２０、２２  ボルト
１６  遮断器側導体
１８  第１の接続導体
１９  第２の接続導体
２１  ヒューズ架台
２３  ヒューズホルダ
２４  トリガヒューズ
２５  第３の接続導体
２６  第４の接続導体
２７  マイクロスイッチ
２８  リード線
【図１】
2008104259.tif 000003
【図２】
2008104259.tif 000004
【図３】
2008104259.tif 000005
【図４】
2008104259.tif 000006
【図５】
2008104259.tif 000007
【図６】
2008104259.tif 000008
【図７】
2008104259.tif 000009